(57)【要約】【課題】人体に有害な薬品や複雑な仕掛けを用いることなく、ねずみなどの小動物を捕獲して駆除することができ、さらには、容器内から小動物を簡単に取り上げることができ、小動物を衛生的に処分することができる捕獲装置を提供することを課題とする。【解決手段】小動物の捕獲装置１であって、上面に開口部１１が形成され、水が貯水される外容器１０と、上面に開口部２１が形成されるとともに、底板２４に水抜き用の孔部２５が形成され、外容器１０内に収容されることで、底板２４が外容器１０内の水中に沈下している内容器２０と、内容器２０内の水面全域に浮揚し、餌４０を載せることができる複数の浮体３０・・・と、を備え、内容器２０は、外容器１０の開口部１１から出入自在である。【選択図】図１
0003149587.tif 000002
【実用新案登録請求の範囲】
【請求項１】
上面に開口部が形成され、水が貯水される外容器と、
上面に開口部が形成されるとともに、底板に水抜き用の孔部が形成され、前記外容器内に収容されることで、前記底板が前記外容器内の水中に沈下している内容器と、
前記外容器内の水面全域に浮揚し、餌を載せることができる複数の浮体と、を備え、
前記内容器は、前記外容器の開口部から出入自在であることを特徴とする小動物の捕獲装置。
【請求項２】
上面に開口部が形成され、水が貯水される外容器と、
上面及び下面に開口部が形成され、前記外容器内に収容されることで、下部が前記外容器内の水中に沈下している内容器と、
上部に開口部が形成された袋状の網部材であり、前記内容器の下部に被せられた回収袋と、
前記外容器内の水面全域に浮揚し、餌を載せることができる複数の浮体と、を備え、
前記内容器は、前記外容器の開口部から出入自在であることを特徴とする小動物の捕獲装置。
【請求項３】
前記各浮体は、樹脂製の球体であることを特徴とする請求項１又は請求項２に記載の小動物の捕獲装置。
【考案の詳細な説明】
【技術分野】
【０００１】
本考案は、ねずみなどの小動物を捕獲して駆除するための捕獲装置に関する。
【背景技術】
【０００２】
ねずみなどの害獣を捕獲して駆除するための捕獲装置としては、例えば、上面に開口部が形成された容器内に貯水し、容器内の水面に複数の浮体を浮揚させたものがある（例えば、特許文献１参考）。
この捕獲装置を用いてねずみを捕獲する場合には、容器内の水面に浮揚した各浮体上に餌を載せた状態で、容器を床面に載置する。そして、ねずみが餌を捕食しようとして容器内に入り込み、各浮体上に降りると、各浮体はねずみの重量を支えることができずに水中に沈むため、ねずみは容器内で水中に落ちて窒息する。
【先行技術文献】
【特許文献】
【０００３】
【特許文献１】特開２００５−１７６８１４号公報
【考案の概要】
【考案が解決しようとする課題】
【０００４】
前記した従来の捕獲装置では、ねずみを捕獲した後に、容器内からねずみを網や炭ばさみで取り上げて処分する必要がある。したがって、従来の捕獲装置では、ねずみを水中から取り上げるために、別途道具が必要であるとともに、ねずみが水中に沈んでいる場合には、ねずみを取り上げるのが困難である。
【０００５】
そこで、本考案では、前記した問題を解決し、人体に有害な薬品や複雑な仕掛けを用いることなく、ねずみなどの小動物を捕獲して駆除することができ、さらには、容器内から小動物を簡単に取り上げることができ、小動物を衛生的に処分することができる捕獲装置を提供することを課題とする。
【課題を解決するための手段】
【０００６】
前記課題を解決するため、本考案は、小動物の捕獲装置であって、上面に開口部が形成され、水が貯水される外容器と、上面に開口部が形成されるとともに、底板に水抜き用の孔部が形成され、前記外容器内に収容されることで、前記底板が前記外容器内の水中に沈下している内容器と、前記外容器内の水面全域に浮揚し、餌を載せることができる複数の浮体と、を備え、前記内容器は、前記外容器の開口部から出入自在であることを特徴としている。
【０００７】
この構成では、外容器内の水面全域に複数の浮体を浮揚させることで、外部から水面が見えなくなるため、小動物は警戒することなく、各浮体上の餌を捕食するために浮体上に降りる。そして、浮体は小動物の重量を支えることができずに水中に沈むため、小動物は水中に落ちて窒息する。このように、本考案では、人体に有害な薬品や複雑な仕掛けを用いることなく、小動物を捕獲して駆除することができる。
【０００８】
また、内容器の底板には水抜き用の孔部が形成されているため、水中に小動物が落ちた後に、内容器を外容器の開口部から引き上げると、内容器内の水は孔部から外容器内に流出し、小動物は内容器内に残される。したがって、網や炭ばさみを用いることなく、小動物を水中から簡単に取り上げることができ、さらに、小動物に触れることなく、水中から取り上げることができるため、小動物を衛生的に処分することができる。
また、小動物の死骸には、ダニや寄生虫などが発生し、一定期間が経過した後にダニや寄生虫などは小動物の死骸から離れて移動するが、本考案では、捕獲された小動物は内容器内に収容されるため、建物内にダニや寄生虫などが移動するのを防ぐことができる。
また、孔部を内容器の底板に形成し、内容器の内側面を平滑な面に形成することで、水中に落ちた小動物が内容器の内側面から這い上がるのを防ぐことができる。
なお、水抜き用の孔部は、小動物よりも小さい内径であれば、その形状や個数は限定されるものではなく、例えば、内容器の底板を網状に形成することで、内容器の底板に複数の孔部を形成することができる。
【０００９】
前記課題を解決するため、本発明の他の構成としては、小動物の捕獲装置であって、上面に開口部が形成され、水が貯水される外容器と、上面及び下面に開口部が形成され、前記外容器内に収容されることで、下部が前記外容器内の水中に沈下している内容器と、上部に開口部が形成された袋状の網部材であり、前記内容器の下部に被せられた回収袋と、前記外容器内の水面全域に浮揚し、餌を載せることができる複数の浮体と、を備え、前記内容器は、前記外容器の開口部から出入自在であることを特徴としている。
【００１０】
この構成では、外容器内の水面全域に複数の浮体を浮揚させることで、外部から水面が見えなくなるため、小動物は警戒することなく、各浮体上の餌を捕食するために浮体上に降りる。そして、浮体は小動物の重量を支えることができずに水中に沈むため、小動物は水中に落ちて窒息する。このように、本考案では、人体に有害な薬品や複雑な仕掛けを用いることなく、小動物を捕獲して駆除することができる。
【００１１】
また、水中に小動物が落ちた後に、内容器を外容器の開口部から引き上げると、外容器内には回収袋が残り、この回収袋内に小動物が収容された状態となる。そして、回収袋を外容器の開口部から引き上げることで、小動物を回収袋に包んだ状態で水中から取り上げることができる。したがって、網や炭ばさみを用いることなく、小動物を水中から簡単に取り上げることができ、さらに、小動物に触れることなく、水中から取り上げることができるため、小動物を衛生的に処分することができる。
また、小動物の死骸には、ダニや寄生虫などが発生し、一定期間が経過した後にダニや寄生虫などは小動物の死骸から離れて移動するが、本考案では、捕獲された小動物は内容器内に収容されるため、建物内にダニや寄生虫などが移動するのを防ぐことができる。
また、網部材の内側に内容器が配置されており、内容器の内側面を平滑な面に形成することで、水中に落ちた小動物が内容器の内側面から這い上がるのを防ぐことができる。
【００１２】
前記した小動物の捕獲装置において、前記各浮体は、樹脂製の球体であることが望ましい。この構成では、浮体を樹脂製にすることで、浮体を長期間に亘って水に浮揚させても変質しないため、浮体を交換する必要がなくなり、コストを低減することができる。また、浮体を球体にすることで、各浮体が重なり難くなり、各浮体が水面全域に広がり易くなるため、各浮体によって水面全域を確実に覆うことができる。
なお、浮体に生分解性プラスチックを用いた場合には、小動物とともに浮体を処分しても、環境に与える影響を小さくすることができる。
【考案の効果】
【００１３】
本考案の小動物の捕獲装置によれば、人体に有害な薬品や複雑な仕掛けを用いることなく、小動物を捕獲して駆除することができる。また、小動物を水中から簡単に取り上げることができ、小動物を衛生的に処分することができるとともに、小動物が内容器の内側面から這い上がるのを防ぐことができる。
【図面の簡単な説明】
【００１４】
【図１】第一実施形態の捕獲装置を示した部分断面斜視図である。
【図２】第一実施形態の捕獲装置を示した分解斜視図である。
【図３】第一実施形態の捕獲装置を用いた捕獲方法を示した図で、（ａ）は捕獲装置を設置した状態の側断面図、（ｂ）はねずみを水中から引き上げたときの側断面図である。
【図４】第一実施形態の捕獲装置における他の構成を示した側断面図である。
【図５】第二実施形態の捕獲装置を示した分解斜視図である。
【図６】第二実施形態の捕獲装置を用いた捕獲方法を示した図で、（ａ）は捕獲装置を設置した状態の側断面図、（ｂ）はねずみを水中から引き上げたときの側断面図である。
【考案を実施するための形態】
【００１５】
次に、本考案の各実施形態について、適宜図面を参照しながら詳細に説明する。
なお、各実施形態の説明において、同一の構成要素に関しては同一の符号を付し、重複した説明は省略するものとする。
また、各実施形態では、厨房などの建物内に生息するねずみを捕獲して駆除するための捕獲装置について説明する。
【００１６】
（第一実施形態）
第一実施形態の捕獲装置１は、図１に示すように、水が貯水される外容器１０と、この外容器１０内に収容された内容器２０と、外容器１０内の水面全域に浮揚し、餌４０を載せることができる複数の浮体３０・・・と、を備えており、厨房などの床面に載置することで、内容器２０内にねずみを捕獲するものである。
【００１７】
外容器１０は、上面に開口部１１が形成された円筒状の容器であり、この実施形態では樹脂製の容器を用いている。
【００１８】
内容器２０は、上面に開口部２１が形成されるとともに、底板２４に複数の孔部２５・・・が形成された円筒状の容器であり、この実施形態では、樹脂製の容器を用いている。内容器２０の内側面２３は、平滑な垂直面に形成されている。
【００１９】
内容器２０は、外容器１０内に収容されており、外容器１０の開口部１１から上下方向に出入自在となっている。
内容器２０の外側面２２は、外容器１０の内側面１２に沿って形成されており、内容器２０の外側面２２と、外容器１０の内側面１２との間には一定の間隔で僅かに隙間が形成されている。また、内容器２０の上端縁部は、外容器１０の上端縁部よりも上方に突出している。
【００２０】
図２に示すように、内容器２０の底板２４を網状に形成することで、底板２４には複数の孔部２５・・・が形成されている。この孔部２５は水抜き用の貫通孔であり、水や浮体３０は通過することができるが、内容器２０内に捕獲されたねずみは通過することができない大きさに形成されている（図３（ｂ）参照）。
【００２１】
浮体３０は、図１に示すように、内容器２０内の水面に浮揚する樹脂製の球体であり、例えば、樹脂製品の成形材料として用いられるペレットを用いることができる。
浮体３０の大きさや形状は限定されるものではなく、その材料も限定されるものではないが、長期間に亘って水に浮揚させても変質しないプラスチックや発砲スチロールなどの樹脂材料を用いることが望ましい。
【００２２】
また、浮体３０は、水面全域に浮揚した各浮体３０・・・の中央部に餌４０を載せたときに、餌４０の下に配置された各浮体３０・・・によって、餌４０の重量を支持することができる浮力を備えている必要がある。また、水面全域に浮揚した各浮体３０・・・上にねずみが降りたときに、各浮体３０・・・がねずみを支持することができずに、各浮体３０・・・が水中に沈むように浮体３０の浮力が設定されている。
【００２３】
次に、第一実施形態の捕獲装置１を用いたねずみの捕獲方法について説明する。
まず、図１に示すように、外容器１０内に内容器２０を収容し、外容器１０内に貯水することで、内容器２０の底板２４を外容器１０内の水中に沈下させる。このとき、内容器２０の底板２４に形成された各孔部２５・・・によって、外容器１０内と内容器２０内とが連通しているため、内容器２０内に水を注水することで、外容器１０内及び内容器２０内に同じ深さで貯水することができる。
なお、内容器２０内に貯水された水の深さは、水中にねずみが落ちたときに、ねずみの手足が内容器２０の底板２４に着かないとともに、ねずみの手足が内容器２０の上端縁部に届かない深さに設定する。
【００２４】
続いて、図３（ａ）に示すように、内容器２０の水面全域に複数の浮体３０・・・を浮揚させる。第一実施形態では、外容器１０と内容器２０との隙間が小さいため、この隙間に浮体３０を浮揚させる必要はないが、外容器１０と内容器２０との隙間が大きい場合には、この隙間にも浮体３０を浮揚させる。
【００２５】
内容器２０内に浮揚させた各浮体３０・・・の中央部にねずみが好む餌４０を載せた状態で、捕獲装置１を厨房などの床面に載置する。さらに、外容器１０の周囲に、上面５１が内容器２０の上端縁部と同じ高さの台５０を設置する。この台５０には、ねずみが上面５１に上れるように、傾斜面５２が形成されている。
【００２６】
餌４０の匂いにつられて台５０の上面５１に移動したねずみは、餌４０を捕食しようとして、内容器２０内に侵入する。このとき、内容器２０内の水面全域は各浮体３０・・・によって覆われており、外部から水面が見えないため、ねずみは警戒することなく、内容器２０内に進入する。
そして、ねずみが各浮体３０・・・上に降りると、各浮体３０・・・はねずみの重量を支えることができずに水中に沈むため、ねずみは内容器２０内で水中に落ちて窒息する。
【００２７】
内容器２０内にねずみを捕獲した後、図３（ｂ）に示すように、外容器１０の開口部１１から内容器２０を引き上げると、内容器２０内の水及び各浮体３０・・・は、内容器２０の底板２４に形成された各孔部２５・・・を通過して外容器１０内に流出し、内容器２０内にはねずみと餌４０（図３（ａ）参照）が残される。なお、内容器２０を引き上げるときには、外容器１０の上端縁部よりも突出した内容器２０の上端縁部を持つことで、内容器２０を簡単に引き上げることができる。
【００２８】
このようにして、水中からねずみを取り上げ、内容器２０内のねずみと餌４０を処分した後に、再度、内容器２０を外容器１０の開口部１１から、外容器１０内に挿入すると、内容器２０の底板２４に形成された各孔部２５・・・を通過して、内容器２０内に水と浮体３０が流入し、図３（ａ）に示すように、内容器２０内の水面全域に各浮体３０・・・が浮揚した状態となる。
【００２９】
以上のような捕獲装置１によれば、図３（ａ）に示すように、内容器２０内の水面全域に複数の浮体３０・・・を浮揚させることで、外部から水面が見えなくなるため、各浮体３０・・・上に餌を載せると、床面に餌４０が置かれているように見える。したがって、ねずみは警戒することなく、餌４０を捕食するために各浮体３０・・・上に降りる。そして、各浮体３０はねずみの重量を支えることができずに水中に沈むため、ねずみは水中に落ちて窒息する。このように、本実施形態の捕獲装置１では、人体に有害な薬品や複雑な仕掛けを用いることなく、ねずみを捕獲して駆除することができる。
【００３０】
また、内容器２０の底板２４には複数の孔部２５・・・が形成されているため、図３（ｂ）に示すように、内容器２０内の水中にねずみが落ちた後に、内容器２０を外容器１０の開口部１１から引き上げると、内容器２０内の水や浮体３０は各孔部２５・・・から外容器１０内に流出し、ねずみと餌４０（図３（ａ）参照）だけが内容器２０内に残される。したがって、網や炭ばさみを用いることなく、ねずみを水中から簡単に取り上げることができ、さらに、ねずみに触れることなく、水中から取り上げることができるため、ねずみを衛生的に処分することができる。
また、ねずみの死骸には、ダニや寄生虫などが発生し、一定期間が経過した後にダニや寄生虫などはねずみの死骸から離れて移動するが、本実施形態の捕獲装置１では、捕獲されたねずみは内容器２０内に収容されるため、建物内にダニや寄生虫などが移動するのを防ぐことができる。
【００３１】
また、孔部２５を内容器２０の底板２４に形成し、内容器２０の内側面２３を平滑な垂直面に形成することで、水中に落ちたねずみが内容器２０の内側面２３から這い上がるのを防ぐことができる。
【００３２】
また、浮体３０を樹脂製にすることで、浮体３０を長期間に亘って水に浮揚させても変質しないため、浮体３０を交換する必要がなくなり、コストを低減することができる。また、浮体３０を球体にすることで、各浮体３０・・・が重なり難くなるため、各浮体３０・・・が水面全域に広がり易くなり、水面全域を確実に覆うことができる。
なお、浮体３０に生分解性プラスチックを用いた場合には、ねずみとともに浮体３０を処分しても、環境に与える影響を小さくすることができる。
【００３３】
以上、本考案の第一実施形態について説明したが、本考案は前記実施形態に限定されることなく、その趣旨を逸脱しない範囲で適宜に設計変更が可能である。
例えば、第一実施形態では、図１に示すように、内容器２０の内側面２３が垂直面に形成されているが、図４に示すように、内容器２０の上端縁部の全周に、開口部２１の内側に向けた突出部２６を形成することで、ねずみが内容器２０内から這い上がるのを確実に防ぐことができる。また、内容器２０内の水中でねずみが暴れたときに、水が外部に飛散するのを防ぐことができる。
【００３４】
また、第一実施形態では、図１に示すように、円筒状の外容器１０及び内容器２０を用いているが、その形状は限定されるものではない。また、内容器２０の底板２４を網目状に形成することで、複数の孔部２５を形成しているが、平板状の底板に円形や矩形の孔部を形成してもよい。
また、内容器２０の上端縁部に取っ手を形成した場合には、内容器２０を外容器１０の開口部１１から引き上げるときに、内容器２０の上端縁部を保持し易くなる。
【００３５】
また、第一実施形態では、内容器２０内の水に浮揚した各浮体３０・・・の中央部に餌４０を直接載せているが、各浮体３０・・・上に載せた皿や板の上に餌４０を載せてもよく、この構成では、餌４０を安定して各浮体３０・・・上に載せることができる。例えば、各浮体３０・・・全体を覆うように、各浮体３０・・・上に薄い紙を敷いて、この紙の上に餌４０を載せた場合には、紙によって水面が確実に見えないため、ねずみに警戒させることなく、ねずみを捕獲することができる。なお、この構成では、紙の上にねずみが降りたときに、紙がねずみの重量を支えることができず、水中に沈んだり、破れたりするように紙の厚みを設定する。
【００３６】
また、第一実施形態では、厨房などの建物内に生息するねずみを捕獲する場合を例として説明したが、本実施形態の捕獲装置１によって捕獲する小動物は、ねずみに限定されることなく、各種の小動物を捕獲して駆除することができる。また、捕獲装置１の設置場所は、建物内に限定されるものではなく、畑などの屋外に設置してもよい。
【００３７】
（第二実施形態）
次に、本考案の第二実施形態について説明する。図５に示す第二実施形態の捕獲装置１Ａは、前記した第一実施形態の捕獲装置１（図１参照）と略同様の構成であり、回収袋６０を用いている点が異なっている。
【００３８】
第二実施形態の捕獲装置１Ａは、水が貯水される外容器１０と、外容器１０内に収容されることで、下部が外容器１０内の水中に沈下する内容器２０Ａと、上部に開口部が形成された袋状の網部材であり、内容器２０Ａの下部に被せられる回収袋６０と、外容器１０内の水面全域に浮揚する複数の浮体３０・・・（図６（ａ）参照）と、を備えている。
【００３９】
第二実施形態の内容器２０Ａは、上面及び下面に開口部が形成された円筒状の容器であり、内容器２０Ａの内側面２３は、平滑な垂直面に形成されている。
【００４０】
回収袋６０は、柔軟な袋状の網部材であり、上端の開口縁部６１には、紐部材６２が環状に挿通されており、外部に引き出された紐部材６２の端部を引っ張ることで、回収袋６０の上端の開口縁部６１を縮径して閉じることができる（図６（ｂ）参照）。
なお、回収袋６０の網目の大きさは、ねずみが通過することができない大きさであれば限定されるものではなく、布状の袋に複数の孔部を形成することで、網状の回収袋６０を形成してもよい。
この回収袋６０は、図６（ａ）に示すように、内容器２０Ａに下方から被せられることで、内容器２０Ａの下面及び外周面を覆っている。したがって、外容器１０内に回収袋６０及び内容器２０Ａを収容したときに、回収袋６０は外容器１０の内周面と内容器２０Ａの外周面との間に配置されている。
なお、回収袋６０の上端の開口縁部６１は、内容器２０Ａの上面の開口部よりも上方に突出しないように、外容器１０の開口部１１において外側に折り返されている。
【００４１】
第二実施形態の捕獲装置１Ａを用いたねずみの捕獲方法は、ねずみが内容器２０Ａ内で水中に落ちて窒息した後に、外容器１０内から内容器２０Ａを引き上げる。このとき、内容器２０Ａの下面には開口部が形成されているため、外容器１０内には、回収袋６０、水、各浮体３０・・・が残り、ねずみは回収袋６０内に収容された状態となる。
【００４２】
そして、図６（ｂ）に示すように、回収袋６０の紐部材６２を引っ張り、回収袋６０の上端の開口縁部６１を縮径して閉じた後に、紐部材６２を把持して、回収袋６０を外容器１０の開口部１１から引き上げることで、ねずみを回収袋６０に包んだ状態で水中から取り上げることができる。さらに、ねずみを処分するときには、回収袋６０とともにねずみを処分することができるため、回収袋６０からねずみを取り出す必要がない。なお、回収袋６０に生分解性プラスチックを用いた場合には、ねずみとともに回収袋６０を処分しても、環境に与える影響を小さくすることができる。
【００４３】
したがって、第二実施形態の捕獲装置１Ａでは、網や炭ばさみを用いることなく、ねずみを水中から簡単に取り上げることができ、さらに、ねずみに触れることなく、水中から取り上げることができるため、ねずみを衛生的に処分することができる。
【符号の説明】
【００４４】
１      捕獲装置（第一実施形態）
１Ａ    捕獲装置（第二実施形態）
１０    外容器
１１    開口部
２０    内容器（第一実施形態）
２０Ａ  内容器（第二実施形態）
２１    開口部
２４    底板
２５    孔部
３０    浮体
４０    餌
５０    台
６０    回収袋
【図１】
0003149587.tif 000003
【図２】
0003149587.tif 000004
【図３】
0003149587.tif 000005
【図４】
0003149587.tif 000006
【図５】
0003149587.tif 000007
【図６】
0003149587.tif 000008